(57)【要約】【課題】当たり心地がよく清掃力に優れた口腔内清掃用具を提供する。【解決手段】本発明は、後方に指を挿入する挿入口４が設けられた指挿入部３と、指挿入部３の挿入口４側の端部から後方に延出された把持部２Ａと、を有する軟質樹脂製の本体部材２と、口腔内を清掃する刷掃部５Ａと、本体部材２に固定される固定部５Ｂと、を有する硬質樹脂製の刷掃部材５と、を備え、刷掃部５Ａは、指挿入部３よりも前方に露出状態で配される一方、固定部５Ｂは本体部材２の内部に配される、口腔内清掃用具１を提供する。【選択図】図１
2018102726.tif 000002
【特許請求の範囲】
【請求項１】
後方に指を挿入する挿入口が設けられた指挿入部と、
指挿入部の挿入口側の端部から後方に延出された把持部と、を有する軟質樹脂製の本体部材と、
口腔内を清掃する刷掃部と、
本体部材に固定される固定部と、を有する硬質樹脂製の刷掃部材と、を備え、
刷掃部は、指挿入部よりも前方に露出状態で配される一方、
固定部は本体部材の内部に配される、口腔内清掃用具。
【請求項２】
指挿入部は、挿入口とは反対側の端部に設けられた開口部を有する、請求項１に記載の口腔内清掃用具。
【請求項３】
指挿入部は、指が載置される基台部と、基台部に載置された指を覆う甲部と、を有し、
把持部は、基台部の後端から延出され、
刷掃部は、基台部の前端から前方に突出して配されるとともに、
固定部は、その後端部が、指挿入部の挿入口とは反対側の端部と、挿入口側の端部との間に位置するように、基台部の内部に配されている、請求項１又は２に記載の口腔内清掃用具。
【請求項４】
固定部は、基台部に抜け止め状態に固定されている、請求項３に記載の口腔内清掃用具。
【発明の詳細な説明】
【技術分野】
【０００１】
本発明は、口腔内清掃用具に関する。
【背景技術】
【０００２】
従来、口腔内を清掃する用具として、例えばシート状のものが知られており、指に直接巻いて用いられる。このようなシート状の清掃用具を用いて、ペットの歯を磨く場合、飼い主の身体の一部である指は、ペットにとっても違和感が少ないため、口の中に入れることが可能であり、歯みがきに慣れていないペットにも有効に用いることができる。しかしながら、シート状の清掃用具を用いた場合、歯面のような広い面の汚れは取れるが、歯間や歯頸部など細かい部位の汚れは取りにくく、また、指を噛まれるおそれがあった。
【０００３】
歯ブラシを用いると、細かい部位の汚れも落とすことができ、十分な歯みがき効果が得られるが、歯を磨いてもらう側（ペットの側）にも慣れが必要で、技術的に熟練を要する。また、一般的な歯ブラシは、ヘッド部からハンドルまで硬質樹脂製であるため、口の中に入れること自体を嫌がることがあり、動きの激しいペットに対しては十分な歯みがきを施すことが困難であった。
【０００４】
上記以外のものとしては、指サックにブラシ状の突起がついた清掃用具が知られている。該清掃用具のブラシ状の突起の多くは、シリコン製で柔らかく、当たり心地がよいので、歯茎のマッサージを行うのに好適であるが、ブラシ部の汚れが取れにくいという問題があった。また、把持部を備えないものが多いため、ペットが咥えると持っていかれるおそれもあった。このような問題を解決するものとして、特許文献１には、用毛を植毛したブラシ部が設けられた筒体とともに把持部を備えた清掃用具が提案されている。当該清掃用具は筒体の中に指を挿入し把持部を握って操作するようになっている。
【先行技術文献】
【特許文献】
【０００５】
【特許文献１】実用新案登録第３１４５０６０号公報
【発明の概要】
【発明が解決しようとする課題】
【０００６】
しかしながら、特許文献１に記載の清掃用具は硬質樹脂で本体を一体成形することにより作製されているため、筒体に入れた指を自由に曲げることができず、動きの激しいペットに対しては使いにくく、硬くて当たり心地が悪いため、ペットが口の中に入れることを嫌がるという問題があった。
【０００７】
本発明の目的は、当たり心地がよく清掃力に優れた口腔内清掃用具を提供することにある。
【課題を解決するための手段】
【０００８】
本発明者らは下記の〔１〕〜〔４〕を提供する。
〔１〕  後方に指を挿入する挿入口が設けられた指挿入部と、指挿入部の挿入口側の端部から後方に延出された把持部と、を有する軟質樹脂製の本体部材と、口腔内を清掃する刷掃部と、本体部材に固定される固定部と、を有する硬質樹脂製の刷掃部材と、を備え、刷掃部は、指挿入部よりも前方に露出状態で配される一方、固定部は本体部材の内部に配される、口腔内清掃用具。
〔２〕  指挿入部は、挿入口とは反対側の端部に設けられた開口部を有する、〔１〕に記載の口腔内清掃用具。
〔３〕  指挿入部は、指が載置される基台部と、基台部に載置された指を覆う甲部と、を有し、把持部は、基台部の後端から延出され、刷掃部は、基台部の前端から前方に突出して配されるとともに、固定部は、その後端部が、指挿入部の挿入口とは反対側の端部と、挿入口側の端部との間に位置するように、基台部の内部に配されている、〔１〕又は〔２〕に記載の口腔内清掃用具。
〔４〕  固定部は、基台部に抜け止め状態に固定されている、〔３〕に記載の口腔内清掃用具。
【発明の効果】
【０００９】
本発明によれば、当たり心地がよく清掃力に優れた口腔内清掃用具を提供することができる。
【図面の簡単な説明】
【００１０】
【図１】図１は、実施形態１に係る口腔内清掃用具の正面図である。
【図２】図２は、口腔内清掃用具の上面図である。
【図３】図３は、口腔内清掃用具の左側面図である。
【図４】図４は、図２のＸ−Ｘ線における一部断面図である。
【図５】図５は、口腔内清掃用具の使用状態を示す図である。
【図６】図６は、刷掃部材の下側面を描いた底面図である。
【図７】図７は、実施形態２に係る口腔内清掃用具の正面図である。
【図８】図８は、口腔内清掃用具の上面図である。
【図９】図９は、口腔内清掃用具の左側面図である。
【図１０】図１０は、図８のＹ−Ｙ線における一部断面図である。
【図１１】図１１は、口腔内清掃用具の使用状態を示す図である。
【発明を実施するための形態】
【００１１】
［実施形態１］
以下、本発明に係る実施形態１の口腔内清掃用具１を図１〜図６を参照しつつ説明する。以下の説明において、図１〜２及び図４〜６における左側を前方とし、右側を後方とし、上下方向に関しては図１の上下方向を基準として説明する。
【００１２】
本実施形態の口腔内清掃用具１は、口腔内を清掃するためのものであって、図１及び２に示すように、指挿入部３及び把持部２Ａを有する軟質樹脂製の本体部材２と、刷掃部５Ａ及び固定部５Ｂを有する硬質樹脂製の刷掃部材５と、を備える。
【００１３】
本実施形態において、本体部材２は、後方に指を挿入する挿入口４が設けられた指挿入部３と、指挿入部３の挿入口４側の端部（後端部）から、後方に延出された把持部２Ａと、を有する。
【００１４】
指挿入部３は、指サック状の形状であり、先端が細く形成された先細り状の形状をなしている。指挿入部３の後端部は、指を挿入可能に開口しており、当該開口部分は指を挿入するための挿入口４とされる。指挿入部３の前端部は閉じており、指先が露出しないようになっている。
【００１５】
指挿入部３は、図４に示すように、指が載置される基台部３Ａと、基台部３Ａに載置された指を覆う甲部３Ｂと、を有する。基台部３Ａは長手方向（図４における左右方向）に延びており、その後端に、把持部２Ａが連なっている。甲部３Ｂは基台部３Ａの一方の面（図４における上側の面）を覆うように形成され、長手方向に沿った一対の側縁部のうちの一方の側縁部から立ち上がり他方の側縁部に連なるように設けられている。
【００１６】
把持部２Ａは、指挿入部３の挿入口４側の端部（指挿入部３の後端部）から後方に延出され、長手方向に延びている。本実施形態において、把持部２Ａは、指挿入部３の基台部３Ａと一体であり、基台部３Ａの後端から後方に延出されている。把持部２Ａの上面は扁平状をなしており、口腔内清掃用具１を装着した際に、肌あたりがよい構成となっている。
【００１７】
本体部材２を形成する軟質樹脂材料としては、当たりがよいという観点から、硬さ（ＪＩＳＫ  ６２５３硬さ試験、試験条件ＪＩＳ  Ａ）が９０以下のものが好ましい。このような軟質樹脂としては、ポリオレフィン系エラストマー、塩化ビニル系エラストマー、スチレン系エラストマー、ウレタン系エラストマー、ポリエステル系エラストマー、ポリアミド系エラストマー等の熱可塑性エラストマー、または、シリコンゴム、ウレタンゴム、天然ゴム、合成ゴムなどの熱硬化性エラストマーを用いることができる。
【００１８】
本実施形態において、刷掃部材５は、口腔内を清掃する刷掃部５Ａと、本体部材２に固定される固定部５Ｂと、を有する。刷掃部５Ａは、本体部材２の前端部（指挿入部３よりも前方）において、本体部材２の前方に突出して露出状態で配されている。刷掃部５Ａの先端は図２に示すように、上面視円弧状をなしており、口腔内を傷つけにくい構成とされる。
【００１９】
刷掃部材５を形成する硬質樹脂材料としては、ポリプロピレン（ＰＰ）、ポリエチレンテレフタレート（ＰＥＴ）、ポリブチレンテレフタレート（ＰＢＴ）、ポリシクロヘキシレンジメチレンテレフタレート（ＰＣＴ）、ポリアセタール（ＰＯＭ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。上記硬質樹脂は１種単独で使用しても良いし、２種以上を適宜組み合わせて用いても良い。これらのうち、剛性が高く、ヘッド部を薄くしたりネック部を細くしたりしても十分な強度が得られる観点から、ポリアセタール樹脂（ＰＯＭ）が好ましい。
【００２０】
刷掃部材５の長手方向の長さ（図４における左側の端部から右側の端部（後端部５１）までの長さ）としては、例えば３０〜１１０ｍｍとすることができ、４０〜１００ｍｍが好ましく、５０〜９０ｍｍがより好ましい。指挿入部３から突出した刷掃部５Ａの長さは、指先が刷掃部５の後方に位置するように配置され、指挿入部で指先が規制されることで、ペット口腔内を清掃するのに指が邪魔にならないという観点から、例えば１０〜３０ｍｍとすることができ、１０〜２５ｍｍが好ましく、１０〜２０ｍｍがより好ましい。
【００２１】
刷掃部５Ａの厚み（図４における上下方向の厚み寸法）は、清掃用具１を適用する適用対象の口の大きさ等を考慮して適宜設定することができる。刷掃部５Ａの厚みは例えば２.５ｍｍ〜５ｍｍとすることができ、３〜５ｍｍが好ましく、３〜４.５ｍｍがより好ましい。
【００２２】
刷掃部５Ａの下側面には、複数の植毛穴７が形成され、植毛穴７には、それぞれ、複数の用毛を束ねてなる毛束６が植毛されている（図３及び図６を参照）。刷掃部５Ａの厚みと毛束６の長さの合計は、口の中での操作性を鑑みて、例えば８〜１８ｍｍとすることができ、８〜１５ｍｍが好ましく、９〜１２ｍｍがより好ましい。
【００２３】
刷掃部５Ａの幅寸法（刷掃部材５の長手方向と垂直な方向における刷掃部５Ａの長さであって、図６におけるＷ１で示す長さ）は清掃用具１を適用する適用対象の口の大きさ等を考慮して適宜設定することができる。刷掃部５Ａの幅寸法は、例えば４〜１５ｍｍとすることができ、５〜１２ｍｍが好ましい。
【００２４】
毛束６の太さ（毛束径）は、毛束６に求める毛腰等を勘案して決定することができるが、例えば、１〜２ｍｍの範囲内で適宜設定することができる。全ての毛束６は、同じ毛束径であってもよいし、相互に異なっていてもよい。
【００２５】
毛束６の長さ（毛丈）は、例えば、５〜１３ｍｍとすることができ、５〜１０ｍｍが好ましく、６〜８ｍｍがより好ましい。毛丈は植毛面（本実施形態では刷掃部５Ａの下側面）を基準とした長さである。毛束６は、例えば、毛丈が揃った複数の用毛で構成してもよいし、毛丈の長さの異なる複数の用毛で構成してもよい。毛束６を構成する複数の用毛としては、例えば、毛先に向かうにつれて径が小さくなり、毛先が先鋭化された用毛であるテーパー毛や、植毛面から毛先に向かい径が略同一とされた用毛であるストレート毛等を用いることができる。また、ストレート毛としては、例えば、毛先が植毛面に対して略平行な平面とされたものや、毛先が半球状に丸められたものを用いることができる。
【００２６】
毛束６を構成する用毛の材料としては、例えば、６−１２ナイロン、６−１０ナイロン、６ナイロン、６６ナイロン等のポリアミド、ＰＥＴ、ＰＢＴ、ポリトリメチレンテレフタレート（ＰＴＴ）、ポリエチレンナフタレート（ＰＥＮ）、ポリブチレンナフタレート（ＰＢＮ）等のポリエステル、ポリエチレン（ＰＥ）、ポリプロピレン（ＰＰ）等のポリオレフィン、および、ポリフッ化ビニリデンなどのポリハロゲン化ビニル等の溶融紡糸できる素材を例示することができる。用毛の材質となる上記材料は、１種単独で用いてもよいし、或いは２種以上を組み合わせて用いてもよい。また、用毛の素材は用毛の特性を大きく損なわない範囲内で改質することができる。具体的には、例えば樹脂に、熱や光に対する安定化剤、難燃剤、フィラー、表面潤滑剤、帯電防止剤、殺菌素材（抗菌素材）などの改質剤、他の硬質樹脂やエラストマーなどを１種または２種以上適宜配合したり、モノフィラメントに塗布したりしても良い。また、毛束６を構成する用毛として、例えば、芯部と、該芯部の外側に設けられた少なくとも１層以上の鞘部と、を有する多重芯構造とされたポリエステル製用毛を用いてもよい。
【００２７】
毛束６を構成する用毛の太さとしては、３〜９ｍｉｌ（０.０７６〜０.２２９ｍｍ）のものが好ましく、４〜８ｍｉｌ（０.１０２〜０.２０３ｍｍ）のものがより好ましく、４〜６ｍｉｌ（０.１０２〜０.１５２ｍｍ）のものがさらに好ましい。使用性、刷掃感、清掃効果、耐久性など考慮して、１つの歯ブラシを構成する毛束６として太さの異なる複数の用毛を組み合わせて利用してもよい。用毛の太さは、該用毛の材質等を勘案して決定することができる。用毛の横断面が円形の場合、該用毛の太さは、例えば、６〜９ｍｉｌとすることができる。なお、１ｍｉｌは、０．０２５４ｍｍである。毛束は、使用感、刷掃感、清掃効果、耐久性等を考慮して、太さの異なる複数本の用毛を任意に組み合わせることで構成してもよい。
【００２８】
毛束６を構成する用毛の横断面形状は、特に限定されず、例えば、真円形、楕円形等の円形、三角形、四角形等の多角形、星形、三つ葉のクローバー形、四つ葉のクローバー形等直線同士、曲線同士、更には直線と曲線とを組み合わせた不定形としてもよい。刷掃部５Ａを構成する全ての用毛の断面形状は、同じであってもよいし、異なっていてもよい。
【００２９】
刷掃部材５の刷掃部５Ａよりも後方の部分は、本体部材２の内部（本実施形態では基台部３Ａの内部）に配される固定部５Ｂである。固定部５Ｂは、その後端部５１が、基台部３Ａの挿入口４側の端部と、基台部３Ａの挿入口４側とは反対側の端部との間に位置するように、基台部３Ａの内部に配されているのが好ましい。ここで、本発明においては、「基台部の挿入口側の端部と基台部の挿入口側とは反対側の端部との間」には、「基台部の挿入口側の端部」及び「基台部の挿入口側とは反対側の端部」も含まれる。本実施形態において、固定部５Ｂは、その後端部５１が、基台部３Ａの挿入口４側の端部と、基台部３Ａの挿入口４側とは反対側の端部との間であって、基台部３Ａの挿入口４側の端部の近傍に位置するように、基台部３Ａの内部に埋設された状態で配されている。なお、本発明において固定部５Ｂの後端部５１の位置は、指挿入部３に挿入した指Ｆとの関係では、指Ｆの第１関節と第２関節との間、または指Ｆの第２関節が配される位置と対応するように設定されていると指が動かしやすく、刷掃部材５が本体部材２から抜けにくいので好ましい。本実施形態では、固定部５Ｂの後端部５１の位置が、指Ｆの第２関節が配される位置と対応するように設定されている（図５を参照）。
【００３０】
固定部５Ｂには、図６に示すように、３つの貫通孔８が設けられている。本体部材２を成形する際に、該貫通孔８に本体部材２を構成する軟質樹脂が入り込んだ後に硬化することにより、刷掃部材５は本体部材２に対して抜け止め状態に固定されるようになっている。また、固定部５Ｂには、本体部材２を作製するための金型（図示せず）の所定位置に位置決め固定される突部９が設けられている。
【００３１】
固定部５Ｂの長さは、指が動かしやすく、本体部材２から抜けにくいという観点から、例えば２０〜８０ｍｍとすることができ、３０〜７５ｍｍが好ましく、４０〜７０ｍｍがより好ましい。
【００３２】
固定部５Ｂの幅寸法（刷掃部材５の長手方向と垂直な方向における固定部５Ｂの長さであって、図６におけるＷ２で示す長さ）は、操作性等を考慮して適宜設定することができる。固定部５Ｂの幅寸法は、例えば５〜２０ｍｍとすることができ、５〜１５ｍｍが好ましく、５〜１２ｍｍがより好ましい。
【００３３】
次に本実施形態の口腔内清掃用具１の製造方法について説明する。
まず、刷掃部材５を形成するための硬質樹脂材料と、所定形状の金型と、を用いて射出成型等の方法により、刷掃部材５を作製する。
【００３４】
次に該刷掃部材５を、刷掃部５Ａ以外の部分が埋設されるように、本体部材２を作製するための金型の所定位置にセットする。このとき刷掃部材５の突部９が、金型における位置決めのために機能する。
【００３５】
所定位置に刷掃部材５がセットされた金型に、本体部材２を形成するための軟質樹脂材料を入れると、刷掃部材５の貫通孔８に軟質樹脂材料が入り込む。軟質樹脂材料が硬化すると、貫通孔８内に入りこんだ樹脂が、刷掃部材５の上面側に配される樹脂と、刷掃部材５の下面に配される樹脂と強固につながり、刷掃部材５が本体部材２に抜け止め状態に固定される。次に、刷掃部５Ａに設けられた植毛穴７に用毛を植設することにより本実施形態の口腔用清掃用具１が得られる。
【００３６】
本実施形態の口腔内清掃用具１が適用される対象（以下、「適用対象」ともいう）としては、イヌやネコなどのペット、ヒト等が挙げられる。また、本実施形態の口腔内清掃用具１は、他者（ペット及び他人）の口腔内を清掃する用途で用いることができるだけでなく、当該口腔内清掃用具１を使用する者が自分自身の口腔内を清掃する用途で用いることもできる。本実施形態の口腔内清掃用具１の適用対象の具体例としては、特に限定はないが、例えば、ペット、介護を必要とする者、乳幼児、高齢者、身障者、健常者等が挙げられる。
【００３７】
次に本実施形態の作用について説明する。
本実施形態の口腔内清掃用具１の挿入口４から、人差し指を指挿入部３内に挿入し、把持部２Ａを人差し指以外の指で握る。すると、図５に示すように、指サック状の指挿入部３が人差し指Ｆにフィットするとともに、軟質樹脂製の把持部２Ａが撓んで、人差し指Ｆと手のひらに沿って配される。
【００３８】
次に、本実施形態の口腔内清掃用具１を適用対象の口腔内に挿入して、適用対象の歯や歯茎等を清掃する。ここで、口腔内清掃用具１を口腔内に挿入するときに、該清掃用具１の一部が口腔内にあたることがあるが、本実施形態の口腔内清掃用具１の外部に露出した部分は、刷掃部５Ａを除き、軟質樹脂製なので、全体が硬質材料からなる口腔内清掃用具よりもあたり心地がよい。本実施形態の口腔内清掃用具１の本体部材２は軟質樹脂製であるので、指挿入部３に入れた指Ｆを、適用対象の動きに追随して動かしつつ、指挿入部３よりも前方に配される刷掃部５Ａにより、口の奥まで清掃することができる。
【００３９】
次に、本実施形態の効果について説明する。
本実施形態においては、硬質樹脂製の刷掃部材５の刷掃部５Ａが本体部材２の前方に露出して配される一方、固定部５Ｂは本体部材２の内部に配されるので、露出部分のうち刷掃部５Ａのみが硬質樹脂製であり他の部分は軟質樹脂製である。その結果、本実施形態によれば、全体が硬質材料からなる口腔内清掃用具１を用いた場合よりも、あたり心地がよく、適用対象が口に入れることを受け入れやすい。
【００４０】
また、本実施形態によれば、指挿入部３及び把持部２Ａは軟質樹脂製なので、指挿入部３に挿入した指Ｆの動きの自由度が高く、指Ｆを適用対象の動きに追随して動かすことができるので、動きの激しい適用対象の口腔内を清掃するのにも適している。
【００４１】
さらに本実施形態においては、硬質樹脂製の刷掃部５Ａが本体部材２の前方に露出して配されるので、口の奥まで清掃することができる。特に、イヌやネコなど小型のペットのような小さい口腔内でも口の奥まで清掃することができる。その結果、本実施形態によれば、清掃力に優れた口腔内清掃用具１を提供することができる。
【００４２】
また、本実施形態によれば口腔内清掃用具１は把持部２Ａを有するので、把持部２Ａを把持した状態で口腔内の清掃操作を行うことができ、清掃用具１の脱落を防止することができる。
【００４３】
さらに、本実施形態によれば、固定部５Ｂは、その後端部５１が、基台部３Ａの挿入口４側とは反対側の端部と、基台部３Ａの挿入口４側の端部との間に位置するように、基台部３Ａの内部に配されているので、指を曲げる等の動作がより容易であり、操作性に優れる。
【００４４】
さらに、本実施形態によれば、固定部５Ｂは基台部３Ａに抜け止め状態に固定されているので、刷掃部材５が使用時に抜けにくく、安心して使用することができる。
【００４５】
［実施形態２］
以下、本発明に係る実施形態２の口腔内清掃用具１１を図７〜図１１を参照しつつ説明する。以下の説明において、図７〜８及び図１０〜１１における左側を前方とし、右側を後方とし、上下方向に関しては図７の上下方向を基準として説明する。
【００４６】
本実施形態の口腔内清掃用具１１は、図７及び８に示すように、指挿入部１３及び把持部１２Ａを有する本体部材１２と、指挿入部１３よりも前方に露出状態で配される刷掃部１５Ａと、本体部材１２に固定される固定部１５Ｂを有する刷掃部材１５と、を備える。刷掃部材１５の構成は実施形態１の刷掃部材５と同様である。
【００４７】
本実施形態において、指挿入部１３は、筒状をなしており、後方に設けられた挿入口１４Ａを有するとともに、挿入口１４Ａとは反対側の端部（前端部）に開口部１４Ｂを有する。当該開口部１４Ｂは、挿入口１４Ａとともに指Ｆにフィットし、指挿入部１３に挿入した指Ｆのフィット感をより良好なものとしている（図１１を参照）。本体部材１２の指挿入部１３以外の構成は概ね実施形態１と同様である。
【００４８】
本実施形態によれば、実施形態１で説明した効果に加え、以下の効果が得られる。
本実施形態によれば、指挿入部１３は、挿入口１４Ａを有するとともに、挿入口１４Ａとは反対側の端部（前端部）に開口部１４Ｂを有するので、指挿入部１３に挿入された指Ｆは、指挿入部１３の前端部に設けた開口部１４Ｂで指先がしっかりと保持され、より良好なフィット感が得られる。指挿入部１３のフィット感が向上することにより、指挿入部１３に入れた指がずれたり、抜けたりすることが防止されるので、操作効率がより高まる。
【実施例】
【００４９】
以下、本発明を実施例により詳細に説明する。以下の実施例は、本発明を好適に説明するためのものであって、本発明を限定するものではない。
【００５０】
＜実施例１〜２＞
実施形態１および２で説明した形状の口腔内清掃用具を、以下の手順により作製し、それぞれ、実施例１および２の口腔内清掃用具とした。
まず、ポリアセタール樹脂と刷掃部材を作製するための第１の金型を用いて刷掃部材を射出成型した。得られた刷掃部材を、刷掃部を露出させた状態で本体部材２を成型するための第２の金型にセットした後、ポリオレフィン系エラストマーを射出して成型した。その後、刷掃部に設けられた植毛穴（Φ１．６ｍｍ）に５ｍｉｌのナイロン製の用毛を植設し、毛丈が６．５ｍｍとなるように平切りすることにより実施例１および２の口腔内清掃用具を得た。
【００５１】
＜比較例１＞
ポリオレフィン系エラストマーに代えて、ポリアセタール樹脂を第２の金型に射出して本体部材を成型したこと以外は、実施例２と同様にして、比較例１の口腔内清掃用具を得た。
【００５２】
＜評価試験＞
下記方法により、実施例１〜２および比較例１の口腔内清掃用具の使用感を評価した。１０名のパネルに、下記の（１）〜（５）の評価項目について、表１に記載の評価基準により使用感を評価してもらい、項目ごとに１０名の平均点を算出し、下記判定基準により判定を行い、結果を表２に示した。
評価項目：（１）指挿入部のフィット感
（２）指の動かしやすさ
（３）使いやすさ
（４）握りやすさ
（５）奥歯の磨きやすさ
【００５３】
【表１】
2018102726.tif 000003
【００５４】
判定基準：◎：平均点が６点以上、○：平均点が４．５点以上６点未満、△：平均点が３．５点以上４．５点未満、×：平均点が２点〜３．５点未満、××：平均点が２点未満
【００５５】
【表２】
2018102726.tif 000004
【００５６】
指挿入部と、把持部と、を有する軟質樹脂製の本体部材と、刷掃部と、固定部と、を有する硬質樹脂製の刷掃部材と、を備え、刷掃部が指挿入部よりも前方に露出状態で配される一方、固定部は本体部材の内部に配される構成の、実施例１および２の口腔内清掃用具では、概ね全体が硬質樹脂からなる比較例１よりも、指挿入部のフィット感、指の動かしやすさ、使いやすさ、握りやすさ及び奥歯の磨きやすさに優れるということがわかった。特に、指挿入部の前端に開口部を設けた実施例２の口腔用清掃用具によれば、フィット感に優れるということがわかった。
【００５７】
［他の実施形態］
本発明は上記記述及び図面によって説明した実施形態に限定されるものではなく、例えば以下のような実施形態であってもよい。
（１）上記実施形態では、固定部は、その後端部が、基台部の挿入口側の端部の近傍に位置するように、基台部の内部に埋設された状態で配されている例を示したが、これに限定されない。固定部の後端部の位置は、基台部の挿入口とは反対側の端部の近傍であってもよいし、基台部の２つの端部の中間の位置等であってもよいし、基台部の挿入口側の端部よりも後方の把持部内に位置していてもよい。
（２）上記実施形態では、歯ブラシ状の刷掃部を有する口腔内清掃用具を示したが、これに限定されない。歯間ブラシや全周囲に用毛が植設された歯ブラシ等の刷掃部を備えるものであってもよい。
【符号の説明】
【００５８】
１，１１…口腔内清掃用具
２，１２…本体部材
２Ａ，１２Ａ…把持部
３，１３…指挿入部
３Ａ，１３Ａ…基台部
３Ｂ，１３Ｂ…甲部
４，１４Ａ…挿入口
５，１５…刷掃部材
５Ａ，１５Ａ…刷掃部
５Ｂ，１５Ｂ…固定部
５１，１５１…固定部の後端部
６，１６…毛束
７，１７…植毛穴
８，１８…貫通孔
９，１９…突部
１４Ｂ…開口部
Ｆ…指
【図１】
2018102726.tif 000005
【図２】
2018102726.tif 000006
【図３】
2018102726.tif 000007
【図４】
2018102726.tif 000008
【図５】
2018102726.tif 000009
【図６】
2018102726.tif 000010
【図７】
2018102726.tif 000011
【図８】
2018102726.tif 000012
【図９】
2018102726.tif 000013
【図１０】
2018102726.tif 000014
【図１１】
2018102726.tif 000015